(57)【要約】【課題】小さい挿入力で大きい抜去力を実現できるクリップを提供する。【解決手段】実施形態にかかるクリップは、取付対象に設けられた取付孔に係止されるクリップであって、外方に突出する第１爪部を有し、前記取付孔への挿入時に前記取付孔に干渉して内方に変形可能に構成された第１脚体と、外方に突出するとともに、その外端部が前記第１爪部の外端部よりも挿入方向後方かつ外方にオフセットする第２爪部を有し、前記取付孔への挿入時に前記取付孔に干渉して内方に変形可能に構成された第２脚体と、を備えることを特徴とする。【選択図】図１
2014052042.tif 000002
【特許請求の範囲】
【請求項１】
取付対象に設けられた取付孔に係止されるクリップであって、
外方に突出する第１爪部を有し、前記取付孔への挿入時に前記取付孔に干渉して内方に変形可能に構成された第１脚体と、
外方に突出するとともに、その外端部が前記第１爪部の外端部よりも挿入方向後方かつ外方にオフセットする第２爪部を有し、前記取付孔への挿入時に前記取付孔に干渉して内方に変形可能に構成された第２脚体と、
を備えることを特徴とするクリップ。
【請求項２】
前記第１脚体及び前記第２脚体を有する脚部が前記取付孔内に係止された装着状態において、前記第１脚体及び第２脚体は外方に復元しているとともに、前記第２脚体は前記取付孔と当接した状態となることを特徴とする請求項１記載のクリップ。
【請求項３】
前記第１脚体は、挿入方向後方かつ外方に傾斜して延びる第１ガイド面と、前記第１ガイド面の外側端部から連続して後方に延びる第２ガイド面と、を備え、
前記第２脚体は、挿入方向後方かつ外方に傾斜して延びる第３ガイド面を備え、
挿入時に前記取付孔が前記第１ガイド面、前記第２ガイド面、前記第３ガイド面に順番に当接するように配列されたことを特徴とする請求項１または２記載のクリップ。
【請求項４】
前記第１脚体と前記第２脚体とが少なくとも一部において内外方向に並列して配置されたことを特徴とする請求項１乃至３のいずれか記載のクリップ。
【請求項５】
前記第１脚体及び前記第２脚体を有する脚部と、
前記脚部の基端側に設けられ、取付部材に係止される頭部と、
前記頭体と前記脚部との間に設けられるとともに前記取付部材に設けられた孔部に挿入される首部と、を成形樹脂により一体に備え、
前記頭部が前記取付部材の前記孔部に係止されるとともに前記脚部が前記取付対象の前記取付孔に係止されることにより、前記取付対象に前記取付部材を支持させることを特徴とする請求項１乃至４のいずれか記載のクリップ。
【発明の詳細な説明】
【技術分野】
【０００１】
本発明は、部材を取付対象に取り付けるクリップに関する。
【背景技術】
【０００２】
部材を取付対象に取り付けるクリップとして、例えばトリムボードを自動車の車体のドアパネルに固定するのにトリムクリップ等が知られている。クリップは、例えば部材に係止される頭部と、取付対象に形成された取付孔に挿入されて係止される所定形状の脚部と、を備えて構成される。脚部は合成樹脂等から弾性変形可能に構成され、取付孔よりわずかに幅の大きい係止部を備えている。この係止部が取付孔との干渉により内方に変位するように撓み変形しながら脚部が取付孔に挿入され、取付孔の通過後に外方に復元することで取付孔の周縁に脚部が係止されるように構成される。
【先行技術文献】
【特許文献】
【０００３】
【特許文献１】特許第３３８６２４１号公報
【発明の概要】
【発明が解決しようとする課題】
【０００４】
上述したクリップでは、取付孔と係止部の寸法関係を厳密に設定する必要があり、例えば取付孔に対して係止部が大きすぎると高い挿入力が必要となり、他方で係止部が小さすぎると抜け止め機能が低下する。したがって、小さい挿入力で高い抜け止め機能を実現できるクリップが望まれている。
【課題を解決するための手段】
【０００５】
実施形態にかかるクリップは、取付対象に設けられた取付孔に係止されるクリップであって、外方に突出する第１爪部を有し、前記取付孔への挿入時に前記取付孔に干渉して内方に変形可能に構成された第１脚体と、外方に突出するとともに、その外端部が前記第１爪部の外端部よりも挿入方向後方かつ外方にオフセットする第２爪部を有し、前記取付孔への挿入時に前記取付孔に干渉して内方に変形可能に構成された第２脚体と、を備えることを特徴とする。
【発明の効果】
【０００６】
本発明によれば、少ない挿入力で高い抜け止め機能を実現できる。
【図面の簡単な説明】
【０００７】
【図１】本発明の第１の実施形態に係るクリップを示す斜視図。
【図２】同クリップの解除状態を示す説明図。
【図３】同クリップの装着状態を示す説明図。
【図４】本発明の他の実施形態に係るクリップを示す斜視図。
【発明を実施するための形態】
【０００８】
以下、本発明の第１実施形態かかるクリップ１について、図１乃至図３を参照して説明する。各図中矢印Ｘ，Ｙ，Ｚはそれぞれ互いに直交する３方向を示す。また、各図において説明のため、適宜構成を拡大、縮小または省略して示している。
【０００９】
本実施形態においては、クリップ１の一例としてトリムクリップを用いて、取付部材の一例としてのトリムボード２を取付対象の一例としての車体のドアパネル３に取り付ける場合を例示する。図１は、本発明の第１の実施の形態に係るクリップ１、トリムボード２、ドアパネル３を示す斜視図である。
【００１０】
トリムボード２にはクリップ１の頭部１１を収容する収容部２ａが設けられている。収容部２ａは断面コ字状で一方側に開口し、クリップ１の頭部１１が挿入される隙間Ｓを有している。収容部２ａには一方側に開口しクリップ１の首部１２が挿入されるスリット状の孔部２ｂが形成されている。孔部２ｂは首部１２よりわずかに大きい径を有する円形部分を有し、円形部分の縁の一部が首部１２の径よりわずかに狭い係止部分を形成し、一方側に拡径しながら開口している。首部１２を孔部２ｂにスライドさせながら圧入するとともに頭部１１を隙間Ｓに挿入すると、係止部分を乗り越えた首部１２が円形部分に保持され、頭部が隙間Ｓ内に保持されるように構成されている。
【００１１】
ドアパネル３にはクリップ１の脚部１４が挿入されて係止される取付孔３ａが設けられている。取付孔３ａは脚部１４に対応する形状に構成され、ここでは周縁が解除状態における一対の第１ガイド面２０ａの途中部位に対応し、かつ一対のリブ２６の外面の幅よりも小さい所定幅を有する矩形の貫通孔として構成されている。
【００１２】
クリップ１は成形樹脂により一体に形成されている。クリップ１は、トリムボード２の孔部２ｂに係止される頭部１１と、頭部１１の一方側に連続するとともに孔部２ｂに挿通される首部１２と、首部１２の一方側に連続してトリムボード２とドアパネル３の間に配される胴部１３と、ドアパネル３の取付孔３ａに挿入されて係止される脚部１４と、を連続して同軸に備えている。
【００１３】
頭部１１は孔部２ｂよりも大径の円板形状に構成されている。首部１２は頭部１１の一方側に連続して設けられ、孔部２ｂよりも小径に構成されている。首部１２が孔部２ｂに挿入された状態で頭部１１が収容部２ａ内に係止される。
【００１４】
胴部１３は首部１２の一方側に連続して設けられ、孔部２ｂよりも大径の円板状の支持板１５と、取付孔３ａよりも大径の円形の当接片１６と、を同軸的に一体に備える。当接片１６は支持板１５の先端側においてスカート状に広がり、その先端縁１６ａが挿入力によってドアパネル３に圧接されて変形可能に構成されている。
【００１５】
胴部１３の一方側には脚部１４が連続して設けられている。脚部１４は、胴部１３から先端方向に垂下する一対の第１脚体２０と、第１脚体２０の外側において胴部１３から先端方向に垂下する２対の第２脚体３０と、を備えて構成されている。
【００１６】
一対の第１脚体２０は互いに挿入軸から所定離間して配置され、胴部１３から垂下する板状の第１ベース脚２３と、第１ベース脚２３の外側面において外方に突出するＴ字状の凸部２４を形成している。
【００１７】
凸部２４は、第１脚体２０の外方に突出する第１爪部２５と、第１爪部２５の長手方向中央部から第１脚体２０の基端側に延びるリブ２６と、を一体に有して構成される。第１爪部２５は先端縁に沿って延びるとともに返しを有する断面三角形に構成されている。第１脚部２０は取付孔３ａへの挿入時に第１爪部２５が取付孔３ａに干渉することにより内方に変形可能に構成されている。
【００１８】
第１脚体２０は、その挿入方向の先端面から、外側かつ基端側に延びるテーパ状の第１ガイド面２０ａと、第１ガイド面２０ａの外側端から連続して軸方向に沿って基端側に延びるＴ字状の第２ガイド面２０ｂと、を有し、各第１脚体２０の両側部において基端側が内側に退避する退避部２７を形成している。各退避部２７の外方にそれぞれ第２脚体３０が配置される。各退避部２７における第１ベース脚２３の幅方向の外面には、それぞれ外方に隆起するボス２８が形成されている。ボス２８は断面半円形状で図中Ｙ方向に沿って延びている。ボス２８は第２脚体３０に近接するように突出することで、第１脚体２０と第２脚体３０との間の隙間を狭め、抜去時に第１脚体２０と第２脚体３０とが同時に変形するようにしている。
【００１９】
一方の第１脚体２０の外側に２本の第２脚体３０が、他方の第２脚体３０の外側に２本の第２脚体３０が、凸部２４を避けた位置に対応してそれぞれ配されている。リブ２６は胴部１３と離間した所定位置まで延び、本実施形態ではリブ２６の挿入方向後側の後端面と第１脚体３０第２爪部３２の挿入方向後側の後端面とが同じ高さ位置に揃えられている。装着状態においては第２爪部３２とリブ２６の挿入方向後側の端面でドアパネル３を係止する。
【００２０】
各第２脚体３０は、胴部１３から垂下する板状の第２ベース脚３１と、第２ベース脚３１の先端側で外方に突出する第２爪部３２とを一体に有して構成される。各第２爪部３２は、返しを有する断面三角形に形成されている。第２脚部３０は取付孔３ａへの挿入時に第２爪部３２が取付孔３ａに干渉することにより内方に変形可能に構成されている。第２脚体３０は、外側かつ基端側に傾斜して延びる第３ガイド面３０ａと、第３ガイド面３０ａの外側端から軸方向に延びる第４ガイド面３０ｂとを備えている。なお、それぞれの第２ベース脚３１は断面積が第１ベース脚２３の断面積よりも小さく、細長く構成され、変形しやすい構造である。
【００２１】
第２脚体３０は第１脚体２０の幅方向外側にあり、かつ短く構成されている。すなわち、第１脚体２０と第２脚体３０とは少なくとも一部において内外方向、例えば本実施形態では幅方向、に並んで配置されている。第２爪部３２は第１爪部２５よりも挿入方向基端側であって外側に位置する。したがって、第２脚体３０の第２爪部３２の外側端部Ｐ２は、第１脚体２０の第１爪部２５の外側端部Ｐ１に対して、挿入軸方向後方及び幅方向外側にオフセットしている。このため、挿入動作における各脚部２０,３０の変形による挿入力のピークのタイミングがずれることで、最大挿入力を小さく抑えることが可能になっている。
【００２２】
図２に実線で示される解除状態において、第１ガイド面２０ａの内側端は取付孔３ａの周縁よりも内側にあり、第１ガイド面２０ａの外側端は、取付孔３ａよりも外側に位置している。第１脚体２０及び第２脚体３０は、樹脂製で胴部１３に一体に垂下する細長形状であって、弾性変形可能に構成されている。したがって、クリップ１の脚部１４を取付孔３ａに圧入すると、図２に破線で示すように第１ガイド面２０ａが取付孔３ａの周縁に干渉することにより、一対の第１脚体２０が内方に倒れこむように変形し、その後で、図２に破線で示すように第３ガイド面３０ａが取付孔３ａの周縁に干渉することにより２対の第２脚体３０も内方に倒れこむように変形する。
【００２３】
第３ガイド面３０ａは、第１ガイド面２０ａよりも挿入方向後方であって、かつ外側に位置するようにオフセットしている。また第４ガイド面３０ｂの挿入方向先端部は第２ガイド面２０ｂの挿入方向先端部よりも挿入方向後方であって、かつ外側に位置するようにオフセットしている。
【００２４】
また、第３ガイド面３０ａの内側端は、第１ガイド面２０ａの外側端及び第２ガイド面２０ｂよりも内側に位置し、第３ガイド面３０ａの外側端及び第４ガイド面３０ｂは、取付孔３ａの周縁よりも外側に位置している。そして第２ガイド面２０ｂは軸方向に連続して延びている。この構造によって、第１ガイド面２０ａ、第１爪部２５とリブ２６の外面である第２ガイド面２０ｂ、第３ガイド面３０ａ、及び第４ガイド面３０ｂが順番に段階的かつ連続的に取付孔３ａに当接することで挿入動作がスムーズに連続するようになっている。
【００２５】
さらに、第１脚体２０、第２脚体３０、取付孔３ａの寸法設定は、図３に示される装着状態において、第２脚体３０が取付孔３ａと接し、取付孔３ａによって内方に押圧されてわずかに第１脚体２０に近接した状態が維持されるように設定されている。
【００２６】
以下図２を参照して、挿入動作について説明する。図２に示す解除状態から、クリップ１をドアパネル３の取付孔３ａに向けて押圧すると、まず第１脚体２０の第１爪部２５が取付孔３ａの周縁に干渉し、先端方向の挿入力によって第１ガイド面２０ａに案内され内方に変形させられる。クリップ１が挿入方向先方に進み、第１ガイド面２０ａの外側端に至る時点で、第１脚体２０による挿入抵抗が最大となり挿入力の一次ピークとなる。このとき、第２脚体３０はまだドアパネル３には接触していないため第２脚体３０による挿入抵抗は発生していない。
【００２７】
この後、クリップ１を、取付孔３ａと第２ガイド面２０ｂとが当接した状態でさらに先方に挿入すると、第２ガイド面２０ｂに連続して基端側に延びるリブ２６の外面と取付孔３ａとの当接により第１脚体２０が内側に変位させられた状態が維持される。この時は一次ピークよりも挿入力は低くなる。クリップ１をさらに先方に進めると第２脚体３０の第２爪部３２が取付孔３ａに干渉し、挿入力によって第３ガイド面３０ａに案内され各第２脚体３０が内方に変形させられる。第２爪部３２の外側端部を乗り越える時点で、第２脚体３０が最大変位となり挿入力の二次ピークとなる。
【００２８】
さらに先方にクリップ１が進むと、当接片１６を基端側に押圧して変形させ、ドアパネル３が第２爪部３２及びリブ２６を乗り越えた時点で挿入力は下がり、第２爪部３２及びリブ２６の挿入方向後端面と当接片１６との間にドアパネル３が係止され、装着状態となる。
【００２９】
１脚体２０及び第２脚体３０を有する脚部１４が取付孔３ａ内に挿入されて係止された装着状態において、第１脚体２０は復元し、元の位置に戻る。一方第２脚体３０は装着状態において外側に復元するが、ベース脚３１が取付孔３ａと当接し、わずかに内方に変位した状態に維持される。抜去時には、第２脚体３０に加えて第１脚体２０を同時に撓ませることとなるので、高い抜去力が必要となる。
【００３０】
本実施形態に係るクリップ１によれば、脚部１４を、挿入方向において２段構成としてオフセットさせることにより、挿入力のピークをずらし、最大の挿入力を低減させることができる。挿入力は、第１脚体２０の第１ガイド面２０ａの外側端Ｐ１に至る時点で一次ピークとなり、その後下がり、次に第２脚体３０の第３ガイド面３０ａの外側端Ｐ２に至る時点で再び上り二次ピークとなるが、個々に曲げ変形しやすく構成された第１脚体２０による一次ピークと第２脚体３０による二次ピークのタイミングがずらされるため、最大挿入力を低く抑えることが可能となる。抜去時には第１脚体２０及び第２脚体３０の両方を同時に変形させるため両者の力を合わせた抜去力が必要であり、抜けにくい構造が実現できる。
【００３１】
なお、本発明は上記第１実施形態に限定されるものではなく、本発明の要旨を逸脱しない範囲で種々変形実施可能である。また、各部の具体的構成や材質等は上記実施形態に例示したものに限られるものではなく適宜変更可能である。
【００３２】
上記第１実施形態では、第１脚体２０の凸部２４は第１爪部２５とリブ２６とでＴ字状に形成し、リブ２６の両側の退避部２７にそれぞれ第２脚体３０を配置したが、これに限られるものではない。例えば本発明の他の実施形態として図４に示すクリップ１００では、一対の第１脚体１２０の片側に対応する外側に一対の第２脚体１３０をそれぞれ設け、第１脚体１２０の挿入方向先端と第２脚体１３０の挿入方向先端の位置を揃えた。この実施形態ではリブ２６に相当する構造はなく、第１爪部１２５の外面である第２ガイド面１２０ｂが当接面として第３ガイド面１３０ａに連続するように設定される。ドアパネル３が第２爪部１３２を乗り越えた時点で、第２爪部１３２に係止され、位置決めされる。ここでも第１爪部１２５の後方（図中下方）かつ外側に第２爪部１３２をオフセットして配置し、第１ガイド面１２０ａ、第２ガイド面１２０ｂ、第３ガイド面１３０ａ、第４ガイド面１３０ｂが順番に段階的に取付孔３ａに干渉するように配置したことにより、上記実施形態と同様の効果が得られる。なお、クリップ１００においてクリップ１と対応する構造については関連する符号を付すとともに、共通する構造について重複する説明を省略する。
【００３３】
上記第１実施形態では、脚部１４として第１脚体２０及び第２脚体３０が平面視矩形状に並ぶように構成し、矩形の取付孔３ａに挿入する構成としたが、これに限られるものではない。例えば脚部１４の外形が円形となるように配置して、円形状の取付孔３ａに適用してもよい。この場合には、各脚体２０,３０の外面が円弧状に湾曲することになる。また上記第１実施形態では第２ガイド面を構成するリブ２６を設けた場合を例示したが、これに限られるものではなく、リブ２６を省略することも可能である。
【００３４】
クリップ１，１００は上記実施形態のトリムクリップに限られるものではなく、他の取付対象に各種部品を取り付けるための各種のクリップに本願を適用できる。もちろん取付部材への取付構造や孔部の構造も上記実施形態に係る例に限られず、適宜変形・変更して実施可能である。
【００３５】
さらに上記実施形態では脚部は複数の第１脚体２０，１２０と複数の第２脚体３０，１３０とからなる２段構造としたがこれに限られるものではなく、３種以上の脚体を用いて３段以上の構造としてもよい。この場合にも挿入力のピークをずらすことで上記第１実施形態と同様の効果を奏する。
【００３６】
さらに、上記実施形態の構成要件のうち一部を省略しても本発明を実現可能である。
【符号の説明】
【００３７】
１．１００…クリップ、２…トリムボード（取付部材）、２ａ…収容部、２ｂ…孔部、３…ドアパネル（取付対象）、３ａ…取付孔、１１…頭部、１２…首部、１３…胴部、１４…脚部、１５…支持板、１６…当接片、１６ａ…先端縁、２０…第１脚体、２０ａ…第１ガイド面、２０ｂ…第２ガイド面、２３…ベース脚、２４…凸部、２５…第１爪部、２６…リブ、２７…退避部、２８…ボス、３０…第２脚体、３０ａ…第３ガイド面、３０ｂ…第４ガイド面、３１…ベース脚、３２…第２爪部、１２０…第１脚体、１２０ａ…第１ガイド面、１２０ｂ…第２ガイド面、１２５…第１爪部、１３０…第２脚体、１３０ａ…第３ガイド面、１３０ｂ…第４ガイド面、１３２…第２爪部。
【図１】
2014052042.tif 000003
【図２】
2014052042.tif 000004
【図３】
2014052042.tif 000005
【図４】
2014052042.tif 000006